(57)【特許請求の範囲】
【請求項１】
扉を備える貯蔵室と、前記扉の開閉を検知する扉開閉検知手段と、前記扉開閉検知手段によって点灯および消灯が制御される前記貯蔵室内照明用の照明装置とを備える冷蔵庫において、
前記照明装置は、光源が実装された複数の実装基板を備え、
前記扉開閉検知手段によって前記扉の開状態を検知し前記扉が所定時間以上開放されると、前記照明装置に対し点灯と消灯とを周期的に繰返させる駆動制御を行い、さらに、前記駆動制御において、徐々に前記照明装置の点灯時間の比率を小さくして減光する減光制御と、徐々に点灯時間の比率を大きくして増光する増光制御とを繰り返す調光制御を行う制御装置を備え、
前記制御装置は、複数の前記実装基板を同期させて前記調光制御を行い、
当該冷蔵庫は、複数の扉を備え、
前記扉検知手段は、一方の扉の開閉を検知する第１扉開閉検知手段と、他方の扉の開閉を検知する第２扉開閉検知手段とを備え、
前記照明装置は、
前記第１扉開閉検知手段によって点灯および消灯が制御される第１照明装置と、前記第
２扉開閉検知手段によって点灯および消灯が制御される第２照明装置とを備え、
前記制御装置は、
前記第１扉開閉検知手段によって前記一方の扉の開状態を検知し、前記第１照明装置に対し点灯と消灯とを周期的に繰返させる駆動制御を行い、さらに、前記駆動制御において徐々に前記第１照明装置の点灯時間の比率を小さくする減光制御と、徐々に前記第１照明装置の点灯時間の比率を大きくする増光制御とを繰り返し、前記第２扉開閉検知手段によって前記他方の扉の開状態を検知した場合、前記第２照明装置に対する駆動制御において、前記第１照明装置に対する減光制御と増光制御とに同期する制御を行うことを特徴とする冷蔵庫。
【請求項２】
前記制御装置は、前記照明装置に対し点灯と消灯とを周期的に繰返させる周期を徐々に早くすることを特徴とする請求項１に記載の冷蔵庫。
【発明の詳細な説明】
【技術分野】
【０００１】
本発明は、照明装置を備える冷蔵庫に関するものである。
【背景技術】
【０００２】
近年、冷蔵庫内照明装置として、従来の白熱灯や電球に変わり、発熱性が低い、赤外波長がでない、低電圧駆動できる等の理由で半導体発光素子を用いるものが提案されている。【０００３】
従来の発光ダイオードを照明装置として利用した冷蔵庫としては、複数の発光ダイオードを正方形に配置し、庫内天面に設置して庫内照射しているものがある（例えば、特許文献１参照）。【０００４】
図１０は特許文献１に記載された従来の製氷機の照明装置の斜視図であり、図１１は図１０の照明装置を製氷機の庫内天面に設置した概念図を示すものである。【０００５】
図１０の照明装置１００において、実装基板１０１は平板状で、一面または両面に回路パターン（図示せず）が形成され、熱伝導性の良好なエポキシ樹脂系の基板や絶縁金属基板を使用する。白色の発光ダイオード１０２は砲弾状に形成され、ＧａＮ系の青色の発光ダイオードからの青色光を用いて蛍光材を励起して白色光を得る構造で、電流を通電する２本の通電端子１０３が導出される。【０００６】
断熱板１０４は、ウレタン等の樹脂により平板状に形成され、複数の挿通孔が並設されて、実装基板１０１と発光ダイオード１０２との間に設けられる。ここで、発光ダイオード１０２は通電端子１０３が断熱板１０４の挿通孔に挿通され、実装基板１０１の回路パターンに半田付けされて実装され、複数個が実装基板１０１に並設される。尚、発光ダイオード１０２の発熱量が少ない場合には、断熱板１０４は廃止しても構わない。【０００７】
図１０において、照明装置１００は、製氷機１１１の庫内の天面１１２に配置されている。【０００８】
以上のように構成された発光ダイオードを照明装置として利用した冷蔵庫について、以下その動作を説明する。【０００９】
まず、冷蔵庫の扉が閉まっている時には、発光ダイオード１０２への通電は行なわず、庫内は照射されていない。扉が開けられると、機械式スイッチやホールＩＣ等の電子式スイッチで開扉状態と判断され、発光ダイオード１０２に順方向電流が流れて、白色光が発光されて庫内が照射される。【００１０】
通常、ＬＥＤ照明（照明装置）の点灯および消灯は、従来の白熱灯や電球の場合と同じく、そのＬＥＤ照明が設置してある貯蔵室の扉の開閉状態と連動する。その動作の詳細を説明する。まず、貯蔵室の扉が開いていることをその扉の扉開閉検知手段で検知すると、その情報を制御装置に伝える。その制御装置は、その貯蔵室の照明を点灯させる制御を実行する。一方、貯蔵室の扉が閉まっていることをその扉の扉開閉検知手段で検知すると、その情報を制御装置に伝える。その制御装置は、その貯蔵室の照明を消灯させる制御を実行する。【００１１】
ＬＥＤ照明を点灯または消灯させるにあたり、タイマーを用いて徐々に点灯または徐々に消灯させる制御を行う例がある（例えば、特許文献２）。図２７に二つの庫内照明を有する冷蔵庫の一例を示す。図２７において、１０および２０は、それぞれ、第一の貯蔵室および第二の貯蔵室である。１１および２１は、それぞれ、第一の貯蔵室の扉および第二の貯蔵室の扉である。
１２および２２は、それぞれ、第一の貯蔵室の扉開閉検知手段および第二の貯蔵室の扉開閉検知手段であり、それぞれの貯蔵室の扉の開閉状態に応じた電子信号を出力する。１３および２３は、それぞれ、第一の貯蔵室のＬＥＤ照明および第二の貯蔵室のＬＥＤ照明であり、入力する電子信号により、点灯または消灯を行う。
３０は、冷蔵庫の電気系統制御を司る制御装置としての主制御マイコンであり、温度情報や時間情報をもとにコンプレッサ、ファン、ヒータ、冷却切替装置へ動作信号を出力するほか、前記扉開閉検知手段１２および２２からの電子信号を受け、前記ＬＥＤ照明１３および２３の点灯または消灯の制御も行う。
３１および３２は、それぞれ、前記ＬＥＤ照明１３および２３を徐々に点灯または消灯させる際の電子信号のＯＮ時間またはＯＦＦ時間を計測するタイマーであり、主制御マイコン３０の内部に搭載する。８０は温度センサであり、センサの周囲温度に応じた電子信号を出力する。前記温度センサ８０は、外気温測定のため、或いは冷蔵庫内の任意の場所の温度測定のためなどに、複数個設けても良い。
４０は、主制御マイコン３０からの電子信号を受け、コンプレッサの動作を制御するコンプレッサ制御マイコンである。４１は、コンプレッサ制御マイコン４０からの信号を受け、冷媒を圧縮するコンプレッサである。
５０は、制御マイコン３０からの電子信号により、ＯＮ／ＯＦＦ切り替えや回転数の変更を行うファンである。前記ファン５０は、冷蔵庫内の冷気を流動させたり、コンプレッサに風を当てて放熱を促進させるためのものであり、複数個設けても良い。６０は、主制御マイコン３０からの電子信号を受け、冷蔵庫各部の凍結や結露防止のために設けられるヒータであり、複数個設けても良い。７０は、主制御マイコン３０からの電子信号を受け、冷蔵庫内の冷媒の流路を切り替える冷却切替装置である。【００１２】
次に、図２７を用いて、ＬＥＤ照明を徐々に点灯させる際の動作を説明する。まず、扉１１が開くと、扉開閉検知手段１２により、扉が開いたことを検知し、電子情報として主制御マイコン３０に通知する。このとき、主制御マイコン３０では、ＬＥＤ照明１３を徐々に点灯する制御を開始する。図２４に主制御マイコン３０がＬＥＤ照明１３に出力する電子信号の一例を示す。【００１３】
図２４のように、主制御マイコン３０は、ＬＥＤ照明１３を徐々に点灯させるため、まずＯＮ１時間だけＬＥＤ照明１３をＯＮする信号を出力する。続けて、ＯＦＦ１時間だけＬＥＤ照明１３をＯＦＦする信号を出力する。さらに続けて、ＯＮ２時間だけＬＥＤ照明１３をＯＮする信号を出力する。【００１４】
ここで、ＯＮ２時間≧ＯＮ１時間とする。さらに続けて、ＯＦＦ２時間だけＬＥＤ照明１３をＯＦＦする信号を出力する。ここで、ＯＦＦ２時間≦ＯＦＦ１時間とする。このようにして、ＯＮ時間を少しずつ増やし、ＯＦＦ時間を少しずつ減らしていき、最終的に常時ＯＮとすることで、ＬＥＤ照明１３を徐々に点灯させる制御を実行する。第二の貯蔵室のＬＥＤ照明についても、同様である。なお、第一の貯蔵室のＬＥＤ照明の各ＯＮ時間およびＯＦＦ時間の計測はタイマー３１で行い、第二の貯蔵室のＬＥＤ照明の各ＯＮ時間およびＯＦＦ時間の計測はタイマー３２で行う。
【先行技術文献】
【特許文献】
【００１５】
【特許文献１】特開２００１−８２８６９号公報
【特許文献２】特開２００９−１１５３７２号公報
【発明の概要】
【発明が解決しようとする課題】
【００１６】
しかしながら、上記従来の構成では、冷蔵庫の扉開閉毎に照明装置の点灯・消灯が繰り返され、特に扉が開けっ放しの状態が続いたときの照明装置の制御については、なんら記載されていない。このため利用者は扉開放状態が続いていることを認識できず、これによって外気が庫内へ侵入する量が増え、庫内温度上昇しやすく消費電力量の増大を招くといった課題を有していた。【００１７】
本発明は、上記従来の課題を解決するもので、扉開閉検知手段によって扉開放が所定時間以上続いた場合に、照明装置の発光素子を点灯および消灯させて、利用者が庫内を眺めている状態でも、利用者に視覚的に扉開放状態が続いていることを、照明装置で促し、冷蔵庫の消費電力量の増大を阻止する冷蔵庫を提供することを目的とする。【００１８】
また、上記従来の構成では、左右扉のある冷蔵庫で最初に開けた扉から時間差をおいて別の扉が開けられる場合、照明装置の点灯・消灯が繰り返されることになる。特に照明装置の光源が発光ダイオードの場合、指向性があり、最初に開けてから別の扉を開けることで冷蔵庫内の収納物に光が跳ね返って利用者はまぶしさを感じる。また、発光ダイオードの照射方向が利用者側に向けられていると目に光が入りやすく利用者はさらにまぶしさを感じる。特に夜など部屋のライトが消えた状態で冷蔵庫の扉を開放したとき、照明装置の発光ダイオードが連続点灯すると、眩しくて冷蔵庫内の収納物が逆に見づらいといった状況に陥りやすい。従って、利用者が欲する収納物を的確に取り出せず、また収納位置が定まらず、冷蔵庫の扉を必要以上に開放状態にしたままとなる。このような状態が持続すると、省エネの発光ダイオードを照明として利用しているにもかかわらず、照明装置のまぶしさによって外部から冷蔵庫内への熱侵入が増大し、冷却効率の低下を招き消費電力を増大させるといった課題を有していた。【００１９】
本発明は、上記従来の課題を解決するもので、扉開閉検知手段によって照明装置の発光素子を点灯および消灯する冷蔵庫において、扉開閉検知手段によって左右扉の最初に開けた扉の開状態を検知した時、照明装置を連続点灯しないで、点灯から徐々に消灯、その後消灯から徐々に点灯を繰り返し、さらに扉開閉検知手段２によって左右扉の別の扉の開状態を検知した時、最初に開けた扉の照明装置の点灯周期と合わせることで、利用者の視覚への負担を軽減し、眩しさや光の反射による扉開放状態が必要以上に長くなるのを低減して、冷蔵庫全体の消費電力量の増大を阻止する冷蔵庫を提供することを目的とする。【００２０】
また、前記従来の構成および動作では、貯蔵室の数だけマイコン内のタイマーが必要となるため、マイコンに対するリソースの制約が生じたり、そのためにコストアップを招くという問題があった。【００２１】
本発明は、上記した課題に鑑み、発光素子照明用のタイマーを共用することで、使用するタイマーの数を減らし、コストを低減できる冷蔵庫を提供することを第二の目的とする。
【課題を解決するための手段】
【００２２】
上記従来の課題を解決するために、本発明の冷蔵庫は、扉を備える貯蔵室と、前記扉の開閉を検知する扉開閉検知手段と、前記扉開閉検知手段によって点灯および消灯が制御される前記貯蔵室内照明用の照明装置とを備える冷蔵庫において、前記扉開閉検知手段によって前記扉の開状態を検知し前記扉が所定時間以上開放されると、前記照明装置に対し点灯と消灯とを周期的に繰返させる駆動制御を行い、さらに、前記駆動制御において、徐々に前記照明装置の点灯時間の比率を小さくして減光する減光制御と、徐々に点灯時間の比率を大きくして増光する増光制御とを繰り返す制御装置を備えることを特徴とする。【００２３】
これによって、利用者が庫内を眺めている状態でも、利用者に視覚的に扉開放状態が続いていることを、照明装置で促し、冷蔵庫の消費電力量の増大を阻止することが可能となる。【００２４】
上記従来の課題を解決するために、本発明の冷蔵庫はさらに、当該冷蔵庫は、複数の扉を備え、前記扉検知手段は、一方の扉の開閉を検知する第１扉開閉検知手段と、他方の扉の開閉を検知する第２扉開閉検知手段とを備え、前記照明装置は、前記第１扉開閉検知手段によって点灯および消灯が制御される第１照明装置と、前記第２扉開閉検知手段によって点灯および消灯が制御される第２照明装置とを備え、前記制御装置は、前記第１扉開閉検知手段によって前記一方の扉の開状態を検知し、前記第１照明装置に対し点灯と消灯とを周期的に繰返させる駆動制御を行い、さらに、前記駆動制御において徐々に前記第１照明装置の点灯時間の比率を小さくする減光制御と、徐々に前記第１照明装置の点灯時間の比率を大きくする増光制御とを繰り返し、前記第２扉開閉検知手段によって前記他方の扉の開状態を検知した場合、前記第２照明装置に対する駆動制御において、前記第１照明装置に対する減光制御と増光制御とに同期する制御を行うものでもよい。【００２５】
これによって、照明装置を連続点灯しないで、点灯から徐々に消灯し、消灯から徐々に点灯を繰り返し、別の扉に対しても同じ周期を行うことで、利用者の視覚への負担を軽減し、眩しさや光の反射による扉開放状態が必要以上に長くなるのを低減して、冷蔵庫全体の消費電力量の増大を阻止することが可能となる。【００２６】
上記従来の課題を解決するために、本発明の冷蔵庫はまた、前面が開口する複数の貯蔵室と、それぞれの前記貯蔵室に対応して設けられる複数の扉と、前記扉の開閉をそれぞれ検知する複数の扉開閉検知手段と、それぞれの前記扉開閉検知手段によって点灯および消灯が制御される前記貯蔵室内をそれぞれ照らす照明装置とを備える冷蔵庫において、【００２７】
前記照明装置の一つである第１照明装置に対し点灯と消灯とを周期的に繰返させ、徐々に前記第１照明装置の点灯時間の比率を小さくして減光する減光制御と、徐々に点灯時間の比率を大きくして増光する増光制御とを繰り返す駆動制御をタイマーに基づいて行い、前記照明装置の一つである第２照明装置に対し点灯と消灯とを周期的に繰返させ、徐々に前記第１照明装置の点灯時間の比率を小さくして減光する減光制御と、徐々に点灯時間の比率を大きくして増光する増光制御とを繰り返す駆動制御を前記タイマーに基づいて行う制御装置を備えるものでもよい。【００２８】
この発明によれば、使用するタイマーの数を減らし、コストを低減できる冷蔵庫を提供することができる。
【発明の効果】
【００２９】
本発明の冷蔵庫は、利用者が庫内を眺めている状態でも、利用者に視覚的に扉開放状態が続いていることを、照明装置で促し、冷蔵庫の消費電力量の増大を阻止することができる。【００３０】
本発明の冷蔵庫は、左右扉のある冷蔵室の左右どちらかを開けられた扉において照明装置を連続点灯しないで点灯から徐々に消灯し、消灯から徐々に点灯を繰り返し、別の扉が開けられると最初に開けた扉の周期と合わせることで、利用者の視覚への負担を軽減するとともに、冷蔵庫全体の消費電力量の増大を阻止することができる。【００３１】
また本発明では、照明装置用のタイマーを共用することで、使用するタイマーの数を減らすことができるという効果がある。
【図面の簡単な説明】
【００３２】
【図１】図１は、本発明の実施の形態における冷蔵庫の断面図である。
【図２】図２は、同実施の形態における照明装置の要部縦断面図である。
【図３】図３は、同実施の形態の冷蔵庫のブロック図である。
【図４】図４は、同実施の形態の冷蔵庫のフローチャートである。
【図５】図５は、同実施の形態の冷蔵庫のタイミングチャートである。
【図６】図６は、本発明の実施の形態における冷蔵庫のフローチャートである。
【図７】図７は、本発明の実施の形態における冷蔵庫のタイミングチャートである。
【図８】図８は、本発明の実施の形態の冷蔵庫のブロック図である。
【図９】図９は、本発明の実施の形態の冷蔵庫のブロック図である。
【図１０】図１０は、従来の製氷機の照明装置の斜視図である。
【図１１】図１１は、従来の照明装置を製氷機の庫内天面に設置した概念図である。
【図１２】図１２は、本発明の実施の形態における冷蔵庫の断面図である。
【図１３】図１３は、同実施の形態における照明装置の要部縦断面図である。
【図１４】図１４は、同実施の形態の冷蔵庫のブロック図である。
【図１５】図１５は、同実施の形態の冷蔵庫のフローチャートである。
【図１６】図１６は、同実施の形態の冷蔵庫のタイミングチャートである。
【図１７】図１７は、本発明の実施の形態における冷蔵庫のフローチャートである。
【図１８】図１８は、本発明の実施の形態における冷蔵庫のタイミングチャートである。
【図１９】図１９は、本発明の実施の形態の冷蔵庫のブロック図である。
【図２０】図２０は、本発明の実施の形態の冷蔵庫のブロック図である。
【図２１】図２１は、従来の製氷機の照明装置の斜視図である。
【図２２】図２２は、従来の照明装置を製氷機の庫内天面に設置した概念図である。
【図２３】図２３は、本発明の実施の形態における冷蔵庫の構成図である。
【図２４】図２４は、本発明の実施の形態における照明装置制御信号の説明図である。
【図２５】図２５は、本発明の実施の形態における照明装置の輝度の説明図である。
【図２６】図２６は、本発明の実施の形態における照明装置の点灯遅延制御の説明図である。
【図２７】図２７は、従来の技術における冷蔵庫の構成図である。
【発明を実施するための形態】
【００３３】
冷蔵庫は、扉を備える貯蔵室と、前記貯蔵室内を照らす照明装置と、前記扉の開閉を検知する扉開閉検知手段と、前記扉開閉検知手段によって前記照明装置を点灯および消灯する冷蔵庫において、前記扉開閉検知手段によって前記扉の開状態を検知し、前記扉が所定時間以上開放されると照明装置に流す電流のＯＮ／ＯＦＦ時間の比率を制御して、前記照明装置は点灯と消灯を繰返し、徐々にＯＮ時間の比率を小さくして消灯する減光制御と、その後徐々にＯＮ時間の比率を大きくして点灯する増光制御とを繰り返し、前記照明装置の点灯と消灯を行う制御装置を備える。
【００３４】
これにより、利用者が庫内を眺めている状態でも、利用者に視覚的に扉開放状態が続いていることを、照明装置で促し、冷蔵庫の消費電力量の増大を阻止することができる。
【００３５】
また、前記制御装置は、扉開時、照明装置に流す電流のＯＮ／ＯＦＦ時間の比率と周期Ｔを決定し、周期Ｔを徐々に早めてもよい。
【００３６】
これにより、よりスムーズに明るさを増して照明制御でき、扉開放報知状態を抑制することができる。
【００３７】
また、警告音を報知する警告音報知手段を備え、扉が所定時間以上開放されると前記警告音報知手段によって、前記警告音を発してもよい。
【００３８】
これにより、視覚的と聴覚的に扉開放報知状態を低減することができる。
【００３９】
また、前記制御装置は、扉開時、ドアの表面に庫内温度や庫内設定温度などの庫内状態を表示する表示手段を備え、前記表示手段の表示部を点滅させてもよい。
【００４０】
これにより、利用者がドア表面を見ることでも、扉開放状態が続いていることを確認することができ、冷蔵庫の消費電力量の増大を阻止することができる。
【００４１】
また、複数個の発光素子を光源とし実装した実装基板が複数個配置され、増光制御および減光制御は前記実装基板ごとに独立して制御するものでもよい。
【００４２】
これにより、実装基板が庫内に複数配置されている場合に、実装基板ごとに個別に照明制御できるので、扉開放報知状態を点灯と消灯のいろいろなパターンで利用者に知らせることができる。
【００４３】
また、複数個の発光素子を光源とし実装した実装基板が複数個配置され、増光制御および減光制御は前記複数のすべての実装基板を同期して制御しても良い。
【００４４】
以下、本発明の実施の形態について、図面を参照しながら説明する。従来例または先に説明した実施の形態と同一構成については同一符号を付して、その詳細な説明は省略する場合がある。尚、この実施の形態によってこの発明が限定されるものではない。
【００４５】
（実施の形態１）
以下、本発明の実施の形態１を図１から図４に基づいて説明する。
図１は、本発明の実施の形態１における冷蔵庫の断面図である。
照明装置２０は、ＬＥＤなどを光源とする照明装置であって、冷蔵室１３内の左側壁面と右側壁面にそれぞれ縦方向に配設されている。
扉開閉検知手段２４は、機械式スイッチやホールＩＣ等の電子式スイッチで構成され、冷蔵室１３の冷蔵室の扉２５の開閉状態を検出する装置である。
制御装置２６は、基板収納部２８に設置されている。
冷凍室ファン１０は、冷凍室１１内の冷気を循環させるとともに、ダンパー１２が開状態の場合は冷蔵室１３へも冷気を循環させる。冷蔵室１３に冷気を必要としない場合は、ダンパー１２を閉状態とする。
コンプレッサファン１４は機械室１５に設置されたコンプレッサ１６やコンデンサ（図示せず）を空冷する。
電磁弁１７は冷却器１８への冷媒の流量を制御する。自動製氷機１９は、製氷皿２１を捻り、離氷動作を行う。温度検出手段２２は冷蔵庫各部の温度を制御装置２６に検知させる。
【００４６】
図２は同実施の形態における照明装置２０の要部縦断面図である。
同図に示すように、照明装置２０は、複数の発光素子を光源として備えている。
実装基板１は平板状で、一面または両面に回路パターン（図示せず）が形成され、熱伝導性の良好なエポキシ樹脂系の基板や絶縁金属基板を使用される。
光源の発光素子としては本実施の形態の場合発光ダイオード２が採用されている。発光ダイオード２は、砲弾状に形成されている。発光ダイオード２は、例えば、ＧａＮ系の青色発光ダイオードからの青色光を用いて蛍光材を励起して白色光を得る構造を備え、電流を通電する２本の通電端子３を備える。
断熱板４は、ウレタン等の樹脂により平板状に形成され、複数の挿通孔が並設されて、実装基板１と発光ダイオード２との間に設けられる。ここで、発光ダイオード２は通電端子３が断熱板４の挿通孔に挿通され、実装基板１の回路パターンに半田付けされて実装され、縦方向に複数個が実装基板１に並設される。尚、発光ダイオード２の発熱量が少ない場合には、断熱板４は廃止しても構わない。
【００４７】
次に縦方向に複数個の発光ダイオードが実装された実装基板１は、冷蔵庫側壁８内に設けられた凹部５に外枠９と一体成型されたスペーサー６によって保持されており、発光ダイオード２の発光部から一定の距離をおいて、ランプカバー７が発光ダイオード２の発光部全体を覆うように冷蔵庫庫内左右壁面に照明装置２０として配設されている。
【００４８】
図３は、本発明の実施の形態１における冷蔵庫のブロック図である。
【００４９】
図３において、制御装置２６内のマイクロコンピュータ３０は、温度検出手段２２より冷蔵庫各部の温度を取得し、冷凍室ファン１０、コンプレッサファン１４、電磁弁１７、自動製氷機１９に駆動指令を出す。
電磁弁１７と自動製氷機１９は使用する電流量が大きいため、同時に駆動することがないようにマイクロコンピュータ３０にプログラミングされている。
また、制御装置２６は、扉開閉検知手段２４により扉２５の開閉状態を検出し、開状態の場合は照明装置駆動回路３１により照明装置２０を駆動する。
冷凍室ファン１０は冷凍室ファン駆動回路３２により駆動される。冷凍室ファン１０は冷凍室ファン駆動回路３２により、可変速で運転することが可能であり、温度検出手段２２の温度信号よりマイクロコンピュータ３０が冷凍室ファン１０の回転が必要と判断すると、その状態により、高速回転と低速回転を切り替えることができる。
コンプレッサファン１４はコンプレッサファン駆動回路３３により駆動される。
電磁弁１７は電磁弁駆動回路３４により駆動される。
自動製氷機１９は自動製氷機駆動回路３５により駆動される。タイマカウンタ３６はマイクロコンピュータ３０に内蔵され、扉２５が閉状態になってからの経過時間を積算する。
【００５０】
図４は、本発明の実施の形態１における冷蔵庫の扉２５の開閉状態と照明装置２０の駆動制御に関するフローチャートである。
【００５１】
図５は、照明装置２０の発光ダイオード２の点灯と消灯の動作を横軸を時間単位として、各ステージ（１、２、３）の動作を表わしたタイミングチャートである。
【００５２】
ステップ１は、扉開閉検知手段２４からの信号が扉閉ならば、タイマカウンタ３６のタイマカウントをクリアし、ステップ１に戻る。また、扉開閉検知手段２４からの信号が扉開ならば、ステップ２へ移行する。
【００５３】
ステップ２は、タイマカウンタ３６のカウントを開始し、また引数Ａを初期値の１に設定する。
【００５４】
ステップ３は、タイマカウンタ３６のカウント値がＴ１以上であれば、すなわち扉開放時間がＴ１以上であれば、ステップ５へ移行し、扉開放状態が長く続いていると判定し、利用者へ扉開放状態のまま放置されているという照明制御に切り替わる。
【００５５】
またステップ３でのタイマカウンタ３６のカウント値がＴ１以下であれば、ステップ４へ移行する。
【００５６】
ステップ４は、発光ダイオード２を点灯のまま維持している。
【００５７】
上記のようにステップ３、４の動作を行うことにより、図５のステージ１に示すとおり、冷蔵室扉２５が開放された（扉開）と扉開閉検知手段２４が検知すると、扉開からＴ１時間は、照明装置２０の発光ダイオード２の点灯を維持する。
【００５８】
ステップ５は、Ｔ１時間経過後に照明装置２０の発光ダイオード２が点灯したことを表している。
【００５９】
ステップ６は、タイマカウンタ３６がＴ２×Ａ（初期値は１）と比較し、カウント値がＴ２×Ａ以下ならば、ステップ４へ移行する、カウント値がＴ２×Ａ以上ならば、ステップ７へ移行する。
【００６０】
ステップ７は、照明装置２０の発光ダイオード２を消灯とする。
【００６１】
ステップ８は、タイマカウンタ３６がＴ３と比較し、カウント値がＴ３以下ならば、ステップ７へ移行する、カウント値がＴ３以上ならば、ステップ９へ移行する。
【００６２】
ステップ５、６、７、８の動作を行うことにより、図５のステージ２に示すとおり、最初のＴ３期間の動作となる、Ｔ２×Ａ期間は照明装置２０の発光ダイオード２は点灯となり、Ｔ２×Ａ時間経過後はＴ３期間まで消灯となる。
【００６３】
ステップ９は、引数ＡにＰ値を減算した値を引数Ａとする。
【００６４】
ステップ１０は、Ｔ２×（Ａ−Ｐ）のカウント値が０以下ならば、タイマカウンタ３６をクリアにしステップ１１へ移行する、Ｔ２×（Ａ−Ｐ）が０より大きいならば、発光ダイオードを点灯にしたままステップ５へ移行する。
【００６５】
ステップ９、１０の動作を行うことにより、図５のステージ２に示すとおり、第２番目の周期Ｔ３期間の動作となる、Ｔ２×（Ａ−Ｐ）期間照明装置２０の発光ダイオード２は点灯となる。
【００６６】
その後Ｔ３期間まで消灯となる。引数ＡにＰ値を引き、Ｔ２×Ａが０以下になるまで、点灯時間を徐々に短くしながら、消灯する動作を繰り返し、Ｔ２×Ａが０以下になると、ステージ３に移行する。
【００６７】
ステップ１１は、ステップ１０の後カウント値をクリアし照明装置２０の発光ダイオード２が徐々に点灯表示に移行することを表している。
【００６８】
ステップ１２は、タイマカウンタ３６がＴ２×Ａ（初期値は１）と比較し、カウント値がＴ２×Ａ以下ならば、ステップ１２へ移行する、カウント値がＴ２×Ａ以上ならば、ステップ１３へ移行する。
【００６９】
ステップ１３は、照明装置２０の発光ダイオード２を消灯とする。
【００７０】
ステップ１４は、タイマカウンタ３６がＴ３と比較し、カウント値がＴ３以下ならば、ステップ１４へ移行する、カウント値がＴ３以上ならば、ステップ１５へ移行する。
【００７１】
ステップ１１、１２、１３、１４、１５の動作を行うことにより、図５のステージ２に示すとおり、最初のＴ３期間の動作となる、Ｔ２×Ａ期間は照明装置２０の発光ダイオード２は点灯となり、Ｔ２×Ａ時間経過後はＴ３期間まで消灯となる。
【００７２】
ステップ１５は、引数ＡにＰ値を加算した値を引数Ａとする。
【００７３】
ステップ１６は、Ｔ２×（Ａ＋Ｐ）のカウント値がＴ３以上ならば、タイマカウンタ３６をクリアにしステップ１へ移行する、Ｔ２×（Ａ＋Ｐ）がＴ３以下ならば、発光ダイオードを点灯にしたままステップ１１へ移行する。
【００７４】
ステップ１５、１６の動作を行うことにより、図５のステージ２に示すとおり、第２番目の周期Ｔ３期間の動作となる、Ｔ２×（Ａ＋Ｐ）期間照明装置２０の発光ダイオード２は点灯となる。照明装置２０の発光ダイオード２は徐々に点灯時間を増やしＴ２×（Ａ＋Ｐ）までは点灯しその後Ｔ３まで消灯する。その後ステージ４を繰り返す。
【００７５】
以上のようなフローに基づき制御装置２６が照明装置２０を駆動制御することにより、利用者が冷蔵室扉２５を開放して扉開閉検知手段２４が扉開を検知した後、次のような状態となる。すなわち、図５のステージ１のように、Ｔ１時間の間は冷蔵室扉２５を開放していても点灯のまま維持する。
【００７６】
次に、扉開検知からＴ１時間経過後は、ステージ２の動作に移行し、所定時間Ｔ３に対する点灯時間をＴ２×Ａ（第１番目）、Ｔ２×（ＡＰ）（第２番目）、Ｔ２×（Ａ−Ｐ−Ｐ）（第３番目）、・・・Ｔ２×（Ａ−Ｐ−・・・）（第Ｎ番目）のようにして照明装置２０の点滅を駆動制御する。具体的には、発光ダイオードに電流を流す時間を徐々に短くしていくことで、照明装置２０が点灯している時間であるＯＮ時間を短くしていく。
【００７７】
また、ステージ３のように、所定時間Ｔ３に対する点灯時間をＴ２×Ａ（第１番目）、Ｔ２×（Ａ＋Ｐ）（第２番目）、Ｔ２×（Ａ＋Ｐ＋Ｐ）（第３番目）、・・・Ｔ２×（Ａ＋Ｐ＋・・・）（第Ｎ番目）のようにして照明装置２０の点滅を制御する。具体的には、発光ダイオードに電流を流す時間を徐々に長くしていくことで、照明装置２０が点灯するＯＮ時間を長くしていく。そして、これらステージ２とステージ３とを繰り返す。
【００７８】
本実施例のように、扉を開けた時、Ｔ１時間点灯のまま持続して、そこから徐々に暗くした後、徐々に明るくするので、利用者にとって目に優しく、冷蔵室１３内の見づらさを低減することができ、照明装置による利用者の視覚への負担をより低減して、さらに冷蔵庫全体の消費電力量の増大を阻止することができる。
【００７９】
つまり従来における問題点、つまり、冷蔵室扉２５が開放されて、すぐに発光ダイオード２の増光状態が維持されると、特に発光ダイオード２は指向性があるため、収納物に反射によって、または直接光を受けると利用者の目に光が飛び込んできやすく冷蔵室１３内が逆に見えづらいという問題点を解消することが可能となる。
【００８０】
そして扉が所定時間以上開放されると、利用者は庫内を眺めている状態でも、庫内の明るさが周期的に返歌するため、利用者に視覚的に扉開放状態が続いていることを、照明装置で促し、冷蔵庫の消費電力量の増大を阻止することが可能となる。
【００８１】
（実施の形態２）
実施の形態１に示した冷蔵庫が備える制御装置２６は、同一周期Ｔにおける点灯時間を徐々に小さくしながら減光制御を行い、その後徐々に大きくしながら増光制御を行うことを繰り返す。
【００８２】
実施の形態２の場合、周期Ｔを早めることで増光状態から減光状態への移行をさらにスムーズに行うことができる。
【００８３】
図６は、本発明の実施の形態２における冷蔵庫の扉２５の開閉状態と照明装置２０の駆動制御に関するフローチャートである。
【００８４】
図７は、照明装置２０の発光ダイオード２の点灯と消灯の動作を横軸を時間単位として、各ステージ（１０１、１０２、１０３）の動作を表わしたタイミングチャートである。
【００８５】
ステップ１０１は、扉開閉検知手段２４からの信号が扉閉ならば、タイマカウンタ３６のタイマカウントをクリアし、ステップ１０１に戻る、また扉開閉検知手段２４からの信号が扉開ならば、ステップ１０２へ移行する。
【００８６】
ステップ１０２は、タイマカウンタ３６のカウントを開始し、また引数Ａを初期値の１、係数Ｒを初期値の０．９に設定する。
【００８７】
ステップ１０３は、タイマカウンタ３６のカウント値がＴ１以上であれば、ステップ５へ移行し、またステップ３でのタイマカウンタ３６のカウント値がＴ１以下であれば、ステップ１０４へ移行する。
【００８８】
ステップ１０４は、発光ダイオード２を点灯のまま維持している。上記のようにステップ３、４の動作を行うことにより、図５のステージ１に示すとおり、冷蔵室扉２５が開放されたと扉開閉検知手段２４が検知すると、扉開からＴ１時間は照明装置２０の発光ダイオード２の点灯を維持する。
【００８９】
ステップ１０５は、Ｔ１時間経過後に照明装置２０の発光ダイオード２が点灯したことを表している。
【００９０】
ステップ１０６は、タイマカウンタ３６がＴ２×Ａ×Ｒ（Ａの初期値は１、Ｒは０．９）と比較し、カウント値がＴ２×Ａ×Ｒ以下ならば、ステップ１０４へ移行する、カウント値がＴ２×Ａ×Ｒ以上ならば、ステップ１０７へ移行する。
【００９１】
ステップ１０７は、照明装置２０の発光ダイオード２を消灯とする。
【００９２】
ステップ１０８は、タイマカウンタ３６がＴ３と比較し、カウント値がＴ３以下ならば、ステップ１０７へ移行する、カウント値がＴ３以上ならば、ステップ１０９へ移行する。
【００９３】
ステップ１０５、１０６、１０７、１０８の動作を行うことにより、図７のステージ１０２に示すとおり、最初のＴ３期間の動作となる、Ｔ２×Ａ×Ｒ期間は照明装置２０の発光ダイオード２は点灯となり、Ｔ２×Ａ×Ｒ時間経過後はＴ３期間まで消灯となる。
【００９４】
ステップ１０９は、引数ＡにＰ値を減算した値を引数Ａとする。
【００９５】
ステップ１１０は、Ｔ２×（Ａ−Ｐ）×Ｒのカウント値が０以下ならば、タイマカウンタ３６をクリアにしステップ１へ移行する、Ｔ２×（Ａ−Ｐ）×Ｒが０より大きいならば、発光ダイオードを点灯にしたままステップ１０５へ移行する。
【００９６】
ステップ１０９、１１０の動作を行うことにより、図７のステージ１０２に示すとおり、第２番目の周期Ｔ３期間の動作となる、Ｔ２×（Ａ−Ｐ）×Ｒ期間照明装置２０の発光ダイオード２は点灯となる。
【００９７】
その後Ｔ３期間まで消灯となる。引数ＡにＰ値を引き係数Ｒをかけて、Ｔ２×（Ａ−Ｐ）×Ｒが０以下になるまで、点灯時間を徐々に短くしながら、消灯する動作を繰り返し、Ｔ２×Ａが０以下になると、ステージ１０３に移行する。
【００９８】
ステップ１１は、ステップ１１０の後カウント値をクリアし照明装置２０の発光ダイオード２が徐々に点灯表示に移行することを表している。
【００９９】
ステップ１１２は、タイマカウンタ３６がＴ２×Ａ（Ａは初期値は１、Ｒは０．９）と比較し、カウント値がＴ２×Ａ以下ならば、ステップ１１２へ移行する、カウント値がＴ２×Ａ以上ならば、ステップ１１３へ移行する。
【０１００】
ステップ１１３は、照明装置２０の発光ダイオード２を消灯とする。
【０１０１】
ステップ１１４は、タイマカウンタ３６がＴ３と比較し、カウント値がＴ３以下ならば、ステップ１３０へ移行する、カウント値がＴ３以上ならば、ステップ１３１へ移行する。
【０１０２】
ステップ１１、１１２、１１３、１１４、１１５の動作を行うことにより、図５のステージ１０２に示すとおり、最初のＴ３期間の動作となる、Ｔ２×Ａ期間は照明装置２０の発光ダイオード２は点灯となり、Ｔ２×Ａ×Ｒ時間経過後はＴ３期間まで消灯となる。
【０１０３】
ステップ１１５は、引数ＡにＰ値を加算した値を引数Ａとする。
【０１０４】
ステップ１１６は、Ｔ２×（Ａ＋Ｐ）×Ｒのカウント値がＴ３以下ならば、タイマカウンタ３６をクリアにしステップ１０１へ移行する、Ｔ２×（Ａ＋Ｐ）×ＲがＴ３以上ならば、発光ダイオードを点灯にしたままステップ１１へ移行する。
【０１０５】
ステップ１１５、１１６の動作を行うことにより、図７のステージ１０２に示すとおり、第２番目の周期Ｔ３期間の動作となる、Ｔ２×（Ａ＋Ｐ）×Ｒ期間照明装置２０の発光ダイオード２は点灯となる。照明装置２０の発光ダイオード２は徐々に点灯時間を増やしＴ２×（Ａ＋Ｐ）×Ｒまでは点灯しその後Ｔ３まで消灯する。その後ステージ１０４を繰り返す。
【０１０６】
したがって利用者が冷蔵室の扉２５を開放することによって扉開閉検知手段２４が扉開を検知すると次の様な状態となる。すなわち、図７のステージ１０１のように、Ｔ１時間は発光ダイオード２を点灯のまま維持する。
【０１０７】
次に、Ｔ１時間経過後は、ステージ１０２の動作に移行し、所定時間Ｔ３に対する点灯時間をＴ２×Ａ×Ｒ（第１番目）、Ｔ２×（Ａ−Ｐ）×Ｒ（第２番目）、Ｔ２×（Ａ−Ｐ−Ｐ）×Ｒ（第３番目）、・・・Ｔ２×（Ａ−Ｐ−・・・）×Ｒ（第Ｎ番目）のように、発光ダイオードに電流を流す時間を徐々に常に小さくして、点灯するＯＮ時間を短くし、ステージ３のように、所定時間Ｔ３に対する点灯時間をＴ２×Ａ×Ｒ（第１番目）、Ｔ２×（Ａ＋Ｐ）×Ｒ（第２番目）、Ｔ２×（Ａ＋Ｐ＋Ｐ）×Ｒ（第３番目）、・・・Ｔ２×（Ａ＋Ｐ＋・・・）×Ｒ（第Ｎ番目）のように、発光ダイオードに電流を流す時間を徐々に常に大きくして、点灯するＯＮ時間を長くし、ステージ１０２、１０３を繰り返す。
【０１０８】
よって、利用者が冷蔵室扉２５を開放したときに、減光状態からよりスムーズに徐々に増光状態に発光ダイオード２が点滅するのを目にするので、指向性のある発光ダイオード２の光に対して室内の見づらさを低減することができ、冷蔵庫全体として消費電力量の低減を図ることができる。
【０１０９】
また、上記のように、繰返す回数を一定回数に固定して、増光制御を行ったが、Ｔ３に対する同じ点灯時間を繰返す回数を徐々に減らしていってもよい。
【０１１０】
これによって、減光状態から増光状態になる移行期間の発光ダイオード２の明るさをスムーズに制御できる。
【０１１１】
また、本発明の冷蔵庫は、扉開閉検知手段２４によって発光ダイオード２に流す電流を制御する制御装置を備え、扉開閉検知手段によって扉２５の開状態を検知した時、前記制御装置２６は発光ダイオード２に流す電流を所定時間ＯＦＦした後、電流のＯＮ／ＯＦＦ時間の比率はのうちＯＮ時間を徐々に小さくすることと、周期Ｔを徐々に早める制御するとしたものである。
【０１１２】
これによって、点灯時には照明装置２０がゆっくりと増光して点灯状態となるため、照明としての品位を向上させ、扉２５の開時の消費電力を抑制することが可能となる。また発光ダイオードのＯＮ時間を抑制して、発光ダイオードの長寿命化を図ることができる。
【０１１３】
また本発明の冷蔵庫は、扉開閉検知手段２４によって発光ダイオード２に流す電流を制御する制御装置を備え、扉開閉検知手段によって扉２５の開状態を検知した時、前記制御装置２６は発光ダイオード２に流す電流を所定時間ＯＦＦした後、電流の同じＯＮ／ＯＦＦ時間を繰り返し、その後ＯＮ時間を徐々に長くして繰り返して制御するものである。
【０１１４】
これによって点灯時には照明装置２０の発光ダイオード２がなめらかに増光していくため、高級感のある照明としての品位をさらに向上させることができる。
【０１１５】
また実施の形態１では、ステップ３のように所定時間Ｔ１経過後、発光ダイオード２を増光し徐々に減光し、その後減光状態から徐々に増光する制御を示したが、所定時間経過しなくても、すなわちＴ１＝０でステップ５に進み、以下実施の形態１と同様に制御してもよい。
【０１１６】
これによって、徐々に減光し、その後減光状態から徐々に増光していくことで、利用者の視覚への負担を軽減し、眩しさや光の反射による扉開放状態が必要以上に長くなるのを低減して、冷蔵庫全体の消費電力量の増大を阻止することができる。
【０１１７】
また実施の形態２でも同様にステップ１０３で所定時間Ｔ１経過後、発光ダイオード２を点灯していたが、所定時間経過しなくても、すなわちＴ１＝０でステップ１０５に進み、以下実施の形態２と同様に制御してもよい。
【０１１８】
これによって一気に照明装置を点灯しないで、よりスムーズに徐々に増光していくことで、利用者の視覚への負担を軽減し、眩しさや光の反射による扉開放状態が必要以上に長くなるのを低減して、冷蔵庫全体の消費電力量の増大を阻止することができる。
【０１１９】
（実施の形態３）
図８は、本発明の実施の形態３における冷蔵庫の扉２５の開閉状態と照明装置２０の駆動制御に関するブロック図である。
【０１２０】
実施の形態１は、周期Ｔに対する点灯時間を徐々に小さくしながら減光制御を行い、その後徐々に大きくしながら増光制御を行うことを繰り返すが、警告音発生手段３７よりブザー３８にて警告音を同期して発生させることを実施する。
【０１２１】
例えば、減光制御を行う際にはブザー３８による警告音を徐々に小さくし、増光制御を行う際にはブザー３８による警告音を徐々に大きくするような同期やその反対の同期状態とする。
【０１２２】
これによって、徐々に消灯し、その後消灯から徐々に明るく点灯していく制御に警告音を同期することで、利用者の視覚への負担を軽減し、眩しさや光の反射による扉開放状態が必要以上に長くなるのを低減して、さらに視覚と聴覚の周期を合わせることで利用者への警告意識を促し、警告音により扉開放のまま放置されることを防ぐことができ、冷蔵庫全体の消費電力量の増大を阻止することができる。
【０１２３】
（実施の形態４）
図９は、本発明の実施の形態４における冷蔵庫の扉２５の開閉状態と照明装置２０の駆動制御に関するブロック図である。
【０１２４】
実施の形態１はＴに対する点灯時間を徐々に小さくしながら減光制御を行い、その後徐々に大きくしながら増光制御を行うことを繰り返すが、扉２５の外側面に取り付けられ、庫内温度や庫内の設定温度などを表示する表示手段３９より温度表示を表示している表示基板４０において、表示基板の温度表示を点滅させることを実施する。
【０１２５】
これによって、徐々に減光し、その後減光状態から徐々に増光していく制御に表示基板の温度表示を点滅させることによって同期させることで、利用者の視覚への負担を軽減し、眩しさや光の反射による扉開放状態が必要以上に長くなるのを低減して、更に扉開放のまま放置されることや食品の噛み込みを防ぐことができ、冷蔵庫全体の消費電力量の増大を阻止することができる。
【０１２６】
また、実施の形態１の図１のように実装基板１は開口部の片側側壁に１つの実装基板１で形成されているが、一方の側壁に複数個の実装基板１を配置し、それぞれの実装基板１に複数の発光ダイオード２が実装されていてもよく、この場合は上記のような増光制御と減光制御を実装基板１ごとに独立して制御し、一方の実装基板１の照明は増光状態、他方の実装基板１の照明は減光状態となるように制御してもかまわない。これにより、扉開放状態が長く開放されたままでも冷蔵室１３内の照明がすべて消灯になって暗くなり庫内収納物が見えずらくなるのを防止することができる。
【０１２７】
また一方の側壁に１つの実装基板１、他方の側壁に１つの実装基板１を配置した冷蔵庫で、独立に照明制御し、一方の照明装置２０が増光制御しているとき、他方の照明装置２０は減光制御となるように、左右壁の照明装置２０で、増光制御と減光制御とをずらして制御することで庫内がすべて減光状態になるのを防止し、扉開放状態が所定時間以上続いた場合でも、利用者への警告と同時に庫内を明るく制御することができる。
【０１２８】
また、別態様の冷蔵庫は、扉を備える貯蔵室と、前記貯蔵室内を照らす照明装置と、前記貯蔵室の冷蔵室は左右両開き式の扉で一方の扉の開閉を検知する第１扉開閉検知手段と、他方の扉の開閉を検知する第２扉開閉検知手段と、前記第１扉開閉検知手段によって増光制御および減光制御する第１照明装置と、前記第２扉開閉検知手段によって増光制御および減光制御する第２照明装置とを有する冷蔵庫において、前記第１扉開閉検知手段によって前記一方の扉の開状態を検知し、前記第１照明装置に流す電流のＯＮ／ＯＦＦ時間の比率を制御して、前記照明装置は増光制御と減光制御とを繰返し、徐々にＯＮ時間の比率を小さくして減光し、その後徐々にＯＮ時間の比率を大きくして増光する。そして、これらを繰り返す。次に前記第２扉開閉検知手段によって前記他方の扉の開状態を検知した場合、前記第２照明装置に流す電流のＯＮ／ＯＦＦ時間の比率を前記第１照明装置の比率に合わせて同期させることにより、照明装置を連続点灯しないで、点灯から徐々に減光制御し、減光状態から徐々に増光制御する制御を繰り返し、利用者の視覚への負担を軽減し、眩しさや光の反射による扉開放状態が必要以上に長くなるのを低減して、冷蔵庫全体の消費電力量の増大を阻止することができる。
【０１２９】
また、制御装置は扉開時、照明装置に流す電流のＯＮ／ＯＦＦ時間の比率と周期Ｔを決定し、周期Ｔを徐々に早くするものでも良い。これにより、よりスムーズに明るさを増して増光制御でき、さらに別の扉が開けられた場合、周期Ｔと合わせることで利用者の視覚への負担を低減した後、一定の周期からを早めることで利用者へ扉の開放状態の視認性を高めることができる。
【０１３０】
また、扉開時、警告音を報知する警告音報知手段を備えてもよい。これによって、前記警告音報知手段によって、前記警告音を発することで、警告音で利用者が扉開放の閉め忘れや食品の噛みこみによる扉スキを検知することができ、冷蔵庫全体の消費電力量の増大を阻止することができる。
【０１３１】
また、扉開時、ドアの表面に庫内温度や庫内設定温度を表示する表示手段を備え、前記表示手段の表示部を点滅するものでもよい。これにより、眩しさや光の反射による扉開放状態が必要以上に長くなるのを低減し、表示手段を点滅させることで利用者が扉開放の閉め忘れや食品の噛みこみによる扉スキを検知することができ、冷蔵庫全体の消費電力量の増大を阻止することができる。
【０１３２】
以下、本発明の実施の形態について、図面を参照しながら説明するが、従来例または先に説明した実施の形態と同一構成については同一符号を付して、その詳細な説明は省略する。尚、この実施の形態によってこの発明が限定されるものではない。
【０１３３】
（実施の形態５）
以下、本発明の実施の形態１を図１２から図１５に基づいて説明する。図１２は、本発明の実施の形態５における冷蔵庫の断面図である。
照明装置２０は、ＬＥＤなどを光源とする照明装置であって、冷蔵室１３内の左側壁面と右側壁面にそれぞれ縦方向に配設されている。
扉開閉検知手段２４は、機械式スイッチやホールＩＣ等の電子式スイッチで構成され、冷蔵室１３の冷蔵室扉２５の開閉状態を検出する装置である。
制御装置２６は、基板収納部２８に設置されている。
【０１３４】
図１３は同実施の形態における照明装置２０の要部縦断面図である。
【０１３５】
次に縦方向に複数個の発光ダイオードが実装された実装基板１は、冷蔵庫側壁８内に設けられた凹部５に外枠９と一体成型されたスペーサー６によって保持されており、発光ダイオード２の発光部から一定の距離をおいて、ランプカバー７が発光ダイオード２の発光部全体を覆うように冷蔵庫庫内左右壁面に照明装置２０として配設されている。
【０１３６】
図１４は、本発明の実施の形態１における冷蔵庫のブロック図である。
【０１３７】
図１４において、制御装置２６内のマイクロコンピュータ３０は、温度検出手段２２より冷蔵庫各部の温度を取得し、冷凍室ファン１０、コンプレッサファン１４、電磁弁１７、自動製氷機１９に駆動指令を出す。電磁弁１７と自動製氷機１９は使用する電流量が大きいため、同時に駆動することがないようにマイクロコンピュータ３０にプログラミングされている。
【０１３８】
また、第１扉開閉検知手段２４により扉２５の開閉状態を検出し、開状態の場合は照明装置駆動回路３１により照明装置２０を駆動する。タイマカウンタ３６はマイクロコンピュータ３０に内蔵され、扉２５が閉状態になってからの経過時間を積算する。
【０１３９】
図１５は、本発明の実施の形態における冷蔵庫の扉２５の開閉状態と照明装置２０の駆動制御に関するフローチャートである。
【０１４０】
図１６は、照明装置２０の発光ダイオード２の点灯と消灯の動作を横軸を時間単位として、各ステージ（１、２、３、４）の動作を表わしたタイミングチャートである。
【０１４１】
ステップ１は、扉開閉検知手段２４からの信号が扉閉ならば、タイマカウンタ３６のタイマカウントをクリアし、ステップ１に戻る、また扉開閉検知手段２４からの信号が扉開ならば、ステップ２へ移行する。
【０１４２】
ステップ２は、タイマカウンタ３６のカウントを開始し、また引数Ａを初期値の１に設定する。
【０１４３】
ステップ３は、タイマカウンタ３６のカウント値がＴ１以上であれば、ステップ５へ移行し、またステップ３でのタイマカウンタ３６のカウント値がＴ１以下であれば、ステップ４へ移行する。
【０１４４】
ステップ４は、発光ダイオード２を点灯のまま維持している。上記のようにステップ３、４の動作を行うことにより、図１６のステージ１に示すとおり、冷蔵室の扉２５が開放されたと扉開閉検知手段２４が検知すると、扉開からＴ１時間は照明装置２０の発光ダイオード２の点灯を維持する。
【０１４５】
ステップ５は、Ｔ１時間経過後に照明装置２０の発光ダイオード２が点灯したことを表している。
【０１４６】
ステップ６は、タイマカウンタ３６がＴ２×Ａ（初期値は１）と比較し、カウント値がＴ２×Ａ以下ならば、ステップ４へ移行する、カウント値がＴ２×Ａ以上ならば、ステップ７へ移行する。
【０１４７】
ステップ７は、照明装置２０の発光ダイオード２を消灯とする。
【０１４８】
ステップ８は、タイマカウンタ３６がＴ３と比較し、カウント値がＴ３以下ならば、ステップ７へ移行する、カウント値がＴ３以上ならば、ステップ９へ移行する。
【０１４９】
ステップ５、６、７、８の動作を行うことにより、図１６のステージ２に示すとおり、最初のＴ３期間の動作となる、Ｔ２×Ａ期間は照明装置２０の発光ダイオード２は点灯となり、Ｔ２×Ａ時間経過後はＴ３期間まで消灯となる。
【０１５０】
ステップ９は、引数ＡにＰ値を減算した値を引数Ａとする。
【０１５１】
ステップ１０は、Ｔ２×（Ａ−Ｐ）のカウント値が０以下ならば、タイマカウンタ３６をクリアにしステップ１１へ移行する、Ｔ２×（Ａ−Ｐ）が０より大きいならば、発光ダイオードを点灯にしたままステップ５へ移行する。
【０１５２】
ステップ９、１０の動作を行うことにより、図１６のステージ２に示すとおり、第２番目の周期Ｔ３期間の動作となる、Ｔ２×（Ａ−Ｐ）期間照明装置２０の発光ダイオード２は点灯となる。
【０１５３】
その後Ｔ３期間まで消灯となる。引数ＡにＰ値を引き、Ｔ２×Ａが０以下になるまで、点灯時間を徐々に短くしながら、消灯する動作を繰り返し、Ｔ２×Ａが０以下になると、ステージ３に移行する。
【０１５４】
ステップ１１は、ステップ１０の後カウント値をクリアし照明装置２０の発光ダイオード２により徐々に増光することを表している。
【０１５５】
ステップ１２は、タイマカウンタ３６がＴ２×Ａ（初期値は１）と比較し、カウント値がＴ２×Ａ以下ならば、ステップ１２へ移行する、カウント値がＴ２×Ａ以上ならば、ステップ１３へ移行する。
【０１５６】
ステップ１３は、照明装置２０の発光ダイオード２を消灯とする。
【０１５７】
ステップ１４は、タイマカウンタ３６がＴ３と比較し、カウント値がＴ３以下ならば、ステップ１４へ移行する、カウント値がＴ３以上ならば、ステップ１５へ移行する。
【０１５８】
ステップ１１、１２、１３、１４、１５の動作を行うことにより、図１６のステージ２に示すとおり、最初のＴ３期間の動作となる、Ｔ２×Ａ期間は照明装置２０の発光ダイオード２は点灯となり、Ｔ２×Ａ時間経過後はＴ３期間まで消灯となる。
【０１５９】
ステップ１５は、引数ＡにＰ値を加算した値を引数Ａとする。
【０１６０】
ステップ１６は、Ｔ２×（Ａ＋Ｐ）のカウント値がＴ３以下ならば、タイマカウンタ３６をクリアにしステップ１へ移行する、Ｔ２×（Ａ＋Ｐ）がＴ３以上ならば、発光ダイオードを点灯にしたままステップ１１へ移行する。
【０１６１】
ステップ１５、１６の動作を行うことにより、図１６のステージ２に示すとおり、第２番目の周期Ｔ３期間の動作となる、Ｔ２×（Ａ＋Ｐ）期間照明装置２０の発光ダイオード２は点灯となる。照明装置２０の発光ダイオード２は徐々に点灯時間を増やしＴ２×（Ａ＋Ｐ）までは点灯しその後Ｔ３まで消灯する。
【０１６２】
ステップ１７は、扉開閉検知手段２４からの信号が扉閉ならば、タイマカウンタ３６のタイマカウンタをクリアし、ステップ１に戻る、また第２扉開閉検知手段４１からの信号が扉開ならば、ステップ１８へ移行する。
【０１６３】
ステップ１８は、タイマカウンタ３６のカウントを開始し、また引数Ａを初期値の１に設定する。
【０１６４】
ステップ１９は、タイマカウンタ３６のカウント値がＴ１以上であれば、ステップ２１へ移行し、またステップ３でのタイマカウンタ３６のカウント値がＴ１以下であれば、ステップ４へ移行する。
【０１６５】
ステップ２０は、発光ダイオード２を点灯のまま維持している。上記のようにステップ１９、２０の動作を行うことにより、図１６のステージ１に示すとおり、冷蔵室扉２５が開放されたと扉開閉検知手段２４が検知すると、扉開からＴ１時間は照明装置２０の発光ダイオード２の点灯を維持する。
【０１６６】
ステップ２１は、Ｔ１時間経過後に照明装置２０の発光ダイオード２が点灯したことを表している。
【０１６７】
ステップ２２は、タイマカウンタ３６がＴ２×Ａ（初期値は１）と比較し、カウント値がＴ２×Ａ以下ならば、ステップ２０へ移行する、カウント値がＴ２×Ａ以上ならば、ステップ２３へ移行する。
【０１６８】
ステップ２３は、照明装置２０の発光ダイオード２を消灯とする。
【０１６９】
ステップ２４は、タイマカウンタ３６がＴ３と比較し、カウント値がＴ３以下ならば、ステップ２３へ移行する、カウント値がＴ３以上ならば、ステップ２５へ移行する。
【０１７０】
ステップ２１、２２、２３、２４の動作を行うことにより、図１６のステージ２に示すとおり、最初のＴ３期間の動作となる、Ｔ２×Ａ期間は照明装置２０の発光ダイオード２は点灯となり、Ｔ２×Ａ時間経過後はＴ３期間まで消灯となる。
【０１７１】
ステップ２５は、引数ＡにＰ値を減算した値を引数Ａとする。
【０１７２】
ステップ２６は、Ｔ２×（Ａ−Ｐ）のカウント値が０以下ならば、タイマカウンタ３６をクリアにしステップ２７へ移行する、Ｔ２×（Ａ−Ｐ）が０より大きいならば、発光ダイオードを点灯にしたままステップ２１へ移行する。
【０１７３】
ステップ２５、２６の動作を行うことにより、図１６のステージ２に示すとおり、第２番目の周期Ｔ３期間の動作となる、Ｔ２×（Ａ−Ｐ）期間照明装置２０の発光ダイオード２は点灯となる。
【０１７４】
その後Ｔ３期間まで消灯となる。引数ＡにＰ値を引き、Ｔ２×Ａが０以下になるまで、点灯時間を徐々に短くしながら、消灯する動作を繰り返し、Ｔ２×Ａが０以下になると、ステージ３に移行する。
【０１７５】
ステップ２７は、ステップ２６の後カウント値をクリアし照明装置２０の発光ダイオード２が徐々に点灯表示に移行することを表している。
【０１７６】
ステップ２８は、タイマカウンタ３６がＴ２×Ａ（初期値は１）と比較し、カウント値がＴ２×Ａ以下ならば、ステップ２８へ移行する、カウント値がＴ２×Ａ以上ならば、ステップ２９へ移行する。
【０１７７】
ステップ２９は、照明装置２０の発光ダイオード２を消灯とする。
【０１７８】
ステップ３０は、タイマカウンタ３６がＴ３と比較し、カウント値がＴ３以下ならば、ステップ３０へ移行する、カウント値がＴ３以上ならば、ステップ３１へ移行する。
【０１７９】
ステップ２７、２８、２９、３０、３１の動作を行うことにより、図１６のステージ２に示すとおり、最初のＴ３期間の動作となる、Ｔ２×Ａ期間は照明装置２０の発光ダイオード２は点灯となり、Ｔ２×Ａ時間経過後はＴ３期間まで消灯となる。
【０１８０】
ステップ３１は、引数ＡにＰ値を加算した値を引数Ａとする。
【０１８１】
ステッ３２は、Ｔ２×（Ａ＋Ｐ）のカウント値がＴ３以下ならば、タイマカウンタ３６をクリアにしステップ１へ移行する、Ｔ２×（Ａ＋Ｐ）がＴ３以上ならば、発光ダイオードを点灯にしたままステップ２７へ移行する。
【０１８２】
ステップ３１、３２の動作を行うことにより、図１６のステージ２に示すとおり、第２番目の周期Ｔ３期間の動作となる、Ｔ２×（Ａ＋Ｐ）期間照明装置２０の発光ダイオード２は点灯となる。照明装置２０の発光ダイオード２は徐々に点灯時間を増やしＴ２×（Ａ＋Ｐ）までは点灯しその後Ｔ３まで消灯する。その状態をステージ４に表す。
【０１８３】
以上のようなフローに基づき制御装置２６が照明装置２０を制御することにより、利用者が冷蔵室左の扉２５を開放して扉開閉検知手段２４が扉開を検知した後、次のような状態となる。すなわち、図１６のステージ１のように、Ｔ１時間の間は開放していても点灯のまま維持する。
【０１８４】
次に、扉開の検知からＴ１時間経過後はステージ２の動作に移行し、所定時間Ｔ３に対する点灯時間をＴ２×Ａ（第１番目）、Ｔ２×（Ａ−Ｐ）（第２番目）、Ｔ２×（Ａ−Ｐ−Ｐ）（第３番目）、・・・Ｔ２×（Ａ−Ｐ−・・・）（第Ｎ番目）のようにして照明装置２０の点滅を制御する。具体的には、発光ダイオードに電流を流す時間を徐々に短くしていくことで、照明装置２０が点灯している時間であるＯＮ時間を短くしていく。
【０１８５】
また、ステージ３のように、所定時間Ｔ３に対する点灯時間をＴ２×Ａ（第１番目）、Ｔ２×（Ａ＋Ｐ）（第２番目）、Ｔ２×（Ａ＋Ｐ＋Ｐ）（第３番目）、・・・Ｔ２×（Ａ＋Ｐ＋・・・）（第Ｎ番目）のようにして照明装置２０の点滅を制御する。具体的には、発光ダイオードに電流を流す時間を徐々に長くしていくことで、照明装置２０が点灯するＯＮ時間を長くしていく。そして、これらステージ２、３を繰り返し、その後、冷蔵室右の扉２５ａを開放して第１扉開閉検知手段２４が動作し左右扉の同じ周期を行い、ステージ４の動作を行う。
【０１８６】
本実施例のように、扉を開けた時、Ｔ１時間点灯のまま持続して、そこから徐々に暗くした後、徐々に明るくし、冷蔵室右扉を開けて冷蔵室左扉の周期に合わせることで、利用者にとって目に優しく、冷蔵室１３内の見づらさを低減することができ、照明装置による利用者の視覚への負担をより低減して、さらに冷蔵庫全体の消費電力量の増大を阻止することができる。
【０１８７】
つまり従来における問題点、つまり、冷蔵室左の扉２５ｂが開放されて、すぐに発光ダイオード２が点灯すると、特に発光ダイオード２は指向性があるため、収納物に反射によって、または直接光を受けると利用者の目に光が飛び込んできやすく冷蔵室１３内が逆に見えづらいという問題点を解消することが可能となる。
【０１８８】
（実施の形態６）
実施の形態５はＴに対する点灯時間を徐々に小さくしながら増光制御を行い、その後徐々に大きくしながら減光制御を行うことを繰り返すが、本実施の形態にすることで、周期Ｔを早めることで増光状態から減光状態への移行状態をさらにスムーズに行うことができる。
【０１８９】
図１７は、本発明の実施の形態２における冷蔵庫の扉２５の開閉状態と照明装置２０の駆動制御に関するフローチャートである。
【０１９０】
図１８は、照明装置２０の発光ダイオード２の点灯と消灯の動作を横軸を時間単位として、各ステージ（１０１、１０２、１０３）の動作を表わしたタイミングチャートである。
【０１９１】
ステップ１０１は、第１扉開閉検知手段２４からの信号が扉閉ならば、タイマカウンタ３６のタイマカウンタをクリアし、ステップ１０１に戻る、また第１扉開閉検知手段２４からの信号が扉開ならば、ステップ１０２へ移行する。
【０１９２】
ステップ１０２は、タイマカウンタ３６のカウントを開始し、また引数Ａを初期値の１、係数Ｒを初期値の０．９に設定する。
【０１９３】
ステップ１０３は、タイマカウンタ３６のカウント値がＴ１以上であれば、ステップ５へ移行し、またステップ３でのタイマカウンタ３６のカウント値がＴ１以下であれば、ステップ１０４へ移行する。
【０１９４】
ステップ１０４は、発光ダイオード２を点灯のまま維持している。上記のようにステップ３、４の動作を行うことにより、図１６のステージ１に示すとおり、冷蔵室右扉２５ａが開放されたと第１扉開閉検知手段２４が検知すると、扉開からＴ１時間は照明装置２０の発光ダイオード２の点灯を維持する。
【０１９５】
ステップ１０５は、Ｔ１時間経過後に照明装置２０の発光ダイオード２が点灯したことを表している。
【０１９６】
ステップ１０６は、タイマカウンタ３６がＴ２×Ａ×Ｒ（Ａの初期値は１、Ｒは０．９）と比較し、カウント値がＴ２×Ａ×Ｒ以下ならば、ステップ１０４へ移行する、カウント値がＴ２×Ａ×Ｒ以上ならば、ステップ１０７へ移行する。
【０１９７】
ステップ１０７は、照明装置２０の発光ダイオード２を消灯とする。
【０１９８】
ステップ１０８は、タイマカウンタ３６がＴ３と比較し、カウント値がＴ３以下ならば、ステップ１０７へ移行する、カウント値がＴ３以上ならば、ステップ１０９へ移行する。
【０１９９】
ステップ１０５、１０６、１０７、１０８の動作を行うことにより、図１８のステージ１０２に示すとおり、最初のＴ３期間の動作となる、Ｔ２×Ａ×Ｒ期間は照明装置２０の発光ダイオード２は点灯となり、Ｔ２×Ａ×Ｒ時間経過後はＴ３期間まで消灯となる。
【０２００】
ステップ１０９は、引数ＡにＰ値を減算した値を引数Ａとする。
【０２０１】
ステップ１１０は、Ｔ２×（Ａ−Ｐ）×Ｒのカウント値が０以下ならば、タイマカウンタ３６をクリアにしステップ１へ移行する、Ｔ２×（Ａ−Ｐ）×Ｒが０より大きいならば、発光ダイオードを点灯にしたままステップ１０５へ移行する。
【０２０２】
ステップ１０９、１１０の動作を行うことにより、図１８のステージ２に示すとおり、第２番目の周期Ｔ３期間の動作となる、Ｔ２×（Ａ−Ｐ）×Ｒ期間照明装置２０の発光ダイオード２は点灯となる。
【０２０３】
その後Ｔ３期間まで消灯となる。引数ＡにＰ値を引き係数Ｒをかけて、Ｔ２×（Ａ−Ｐ）×Ｒが０以下になるまで、点灯時間を徐々に短くしながら、消灯する動作を繰り返し、Ｔ２×Ａが０以下になると、ステージ１０３に移行する。
【０２０４】
ステップ１１は、ステップ１１０の後カウント値をクリアし照明装置２０の発光ダイオード２が徐々に増光することを表している。
【０２０５】
ステップ１１２は、タイマカウンタ３６がＴ２×Ａ（Ａは初期値は１、Ｒは０．９）と比較し、カウント値がＴ２×Ａ以下ならば、ステップ１１２へ移行する、カウント値がＴ２×Ａ以上ならば、ステップ１１３へ移行する。
【０２０６】
ステップ１１３は、照明装置２０の発光ダイオード２を消灯とする。
【０２０７】
ステップ１１４は、タイマカウンタ３６がＴ３と比較し、カウント値がＴ３以下ならば、ステップ１４へ移行する、カウント値がＴ３以上ならば、ステップ１５へ移行する。
【０２０８】
ステップ１１、１１２、１１３、１１４、１１５の動作を行うことにより、図１６のステージ２に示すとおり、最初のＴ３期間の動作となる、Ｔ２×Ａ期間は照明装置２０の発光ダイオード２は点灯となり、Ｔ２×Ａ×Ｒ時間経過後はＴ３期間まで消灯となる。
【０２０９】
ステップ１１５は、引数ＡにＰ値を加算した値を引数Ａとする。
【０２１０】
ステップ１１６は、Ｔ２×（Ａ＋Ｐ）×Ｒのカウント値がＴ３以下ならば、タイマカウンタ３６をクリアにしステップ１０１へ移行する、Ｔ２×（Ａ＋Ｐ）×ＲがＴ３以上ならば、発光ダイオードを点灯にしたままステップ１１へ移行する。
【０２１１】
ステップ１１５、１１６の動作を行うことにより、図１８のステージ１０２に示すとおり、第２番目の周期Ｔ３期間の動作となる、Ｔ２×（Ａ＋Ｐ）×Ｒ期間、照明装置２０の発光ダイオード２は点灯となる。照明装置２０の発光ダイオード２は徐々に点灯時間を増やしＴ２×（Ａ＋Ｐ）×Ｒまでは点灯しその後Ｔ３まで消灯する。その後ステージ１０４を繰り返す。
【０２１２】
したがって冷蔵室右の扉２５ａを開放して第１扉開閉検知手段２４が動作し、図１８のステージ１０１のように、Ｔ１時間の間は開放していても点灯のまま維持し、Ｔ１時間経過後はステージ１０２の動作に移行し、所定時間Ｔ３に対する点灯時間をＴ２×Ａ×Ｒ（第１番目）、Ｔ２×（Ａ−Ｐ）×Ｒ（第２番目）、Ｔ２×（Ａ−Ｐ−Ｐ）×Ｒ（第３番目）、・・・Ｔ２×（Ａ−Ｐ−・・・）×Ｒ（第Ｎ番目）のように、発光ダイオードに電流を流す時間を徐々に常に短くして、点灯するＯＮ時間を短くし、ステージ３のように、所定時間Ｔ３に対する点灯時間をＴ２×Ａ×Ｒ（第１番目）、Ｔ２×（Ａ＋Ｐ）×Ｒ（第２番目）、Ｔ２×（Ａ＋Ｐ＋Ｐ）×Ｒ（第３番目）、・・・Ｔ２×（Ａ＋Ｐ＋・・・）×Ｒ（第Ｎ番目）のように、発光ダイオードに電流を流す時間を徐々に常に長くして、点灯するＯＮ時間を長くし、ステージ１０２、１０３を繰り返す。
【０２１３】
ステップ１１７は、第２扉開閉検知手段４１からの信号が扉閉ならば、タイマカウンタ３６のタイマカウントをクリアし、ステップ１１７に戻る、また第２扉開閉検知手段４１からの信号が扉開ならば、ステップ１１８へ移行する。
【０２１４】
ステップ１１８は、タイマカウンタ３６のカウントを開始し、また引数Ａを初期値の１、係数Ｒを初期値の０．９に設定する。
【０２１５】
ステップ１１９は、タイマカウンタ３６のカウント値がＴ１以上であれば、ステップ５へ移行し、またステップ３でのタイマカウンタ３６のカウント値がＴ１以下であれば、ステップ１２０へ移行する。
【０２１６】
ステップ１２０は、発光ダイオード２を点灯のまま維持している。上記のようにステップ１０３、１０４の動作を行うことにより、図１８のステージ１０１に示すとおり、冷蔵室左扉２５が開放されたと第２扉開閉検知手段４１が検知すると、扉開からＴ１時間は照明装置２０の発光ダイオード２の点灯を維持する。
【０２１７】
ステップ１２１は、Ｔ１時間経過後に照明装置２０の発光ダイオード２が点灯したことを表している。
【０２１８】
ステップ１２２は、タイマカウンタ３６がＴ２×Ａ×Ｒ（Ａの初期値は１、Ｒは０．９）と比較し、カウント値がＴ２×Ａ×Ｒ以下ならば、ステップ１０４へ移行する、カウント値がＴ２×Ａ×Ｒ以上ならば、ステップ１２３へ移行する。
【０２１９】
ステップ１２３は、照明装置２０の発光ダイオード２を消灯とする。
【０２２０】
ステップ１２４は、タイマカウンタ３６がＴ３と比較し、カウント値がＴ３以下ならば、ステップ１２３へ移行する、カウント値がＴ３以上ならば、ステップ１２５へ移行する。
【０２２１】
ステップ１２１、１２２、１２３、１２４の動作を行うことにより、図１８のステージ１０２に示すとおり、最初のＴ３期間の動作となる、Ｔ２×Ａ×Ｒ期間は照明装置２０の発光ダイオード２は点灯となり、Ｔ２×Ａ×Ｒ時間経過後はＴ３期間まで消灯となる。
【０２２２】
ステップ１２５は、引数ＡにＰ値を減算した値を引数Ａとする。
【０２２３】
ステップ１２７は、Ｔ２×（Ａ−Ｐ）×Ｒのカウント値が０以下ならば、タイマカウンタ３６をクリアにしステップ１へ移行する、Ｔ２×（Ａ−Ｐ）×Ｒが０より大きいならば、発光ダイオードを点灯にしたままステップ１２１へ移行する。
【０２２４】
ステップ１２５、１２６の動作を行うことにより、図１８のステージ１０２に示すとおり、第２番目の周期Ｔ３期間の動作となる、Ｔ２×（Ａ−Ｐ）×Ｒ期間、照明装置２０の発光ダイオード２は点灯となる。
【０２２５】
その後Ｔ３期間まで消灯となる。引数ＡにＰ値を引き係数Ｒをかけて、Ｔ２×（Ａ−Ｐ）×Ｒが０以下になるまで、点灯時間を徐々に短くしながら、消灯する動作を繰り返し、Ｔ２×Ａが０以下になると、ステージ１０３に移行する。
【０２２６】
ステップ１２７は、ステップ１２６の後カウント値をクリアし照明装置２０の発光ダイオード２が徐々に点灯表示に移行することを表している。
【０２２７】
ステップ１２８は、タイマカウンタ３６がＴ２×Ａ（Ａは初期値は１、Ｒは０．９）と比較し、カウント値がＴ２×Ａ以下ならば、ステップ１２８へ移行する、カウント値がＴ２×Ａ以上ならば、ステップ１２９へ移行する。
【０２２８】
ステップ１２９は、照明装置２０の発光ダイオード２を消灯とする。
【０２２９】
ステップ１３０は、タイマカウンタ３６がＴ３と比較し、カウント値がＴ３以下ならば、ステップ１２０へ移行する、カウント値がＴ３以上ならば、ステップ１３１へ移行する。
【０２３０】
ステップ１２７、１２８、１２９、１３０、１３１の動作を行うことにより、図１８のステージ１０３に示すとおり、最初のＴ３期間の動作となる、Ｔ２×Ａ期間は照明装置２０の発光ダイオード２は点灯となり、Ｔ２×Ａ×Ｒ時間経過後はＴ３期間まで消灯となる。
【０２３１】
ステップ１３２は、引数ＡにＰ値を加算した値を引数Ａとする。
【０２３２】
ステップ１３２は、Ｔ２×（Ａ＋Ｐ）×Ｒのカウント値がＴ３以下ならば、タイマカウンタ３６をクリアにしステップ１１７へ移行する、Ｔ２×（Ａ＋Ｐ）×ＲがＴ３以上ならば、発光ダイオードを点灯にしたままステップ１２７へ移行する。
【０２３３】
ステップ１３１、１３２の動作を行うことにより、図１８のステージ１０２に示すとおり、第２番目の周期Ｔ３期間の動作となる、Ｔ２×（Ａ＋Ｐ）×Ｒ期間照明装置２０の発光ダイオード２は点灯となる。照明装置２０の発光ダイオード２は徐々に点灯時間を増やしＴ２×（Ａ＋Ｐ）×Ｒまでは点灯しその後Ｔ３まで消灯する。その後ステージ１０４を繰り返す。
【０２３４】
したがって冷蔵室右扉２５ａを開放して第１扉開閉検知手段２４が動作し、図１８のステージ１０１のように、Ｔ１時間の間は開放していても点灯のまま維持する。Ｔ１時間経過後は、ステージ１０２の動作に移行し、所定時間Ｔ３に対する点灯時間をＴ２×Ａ×Ｒ（第１番目）、Ｔ２×（Ａ−Ｐ）×Ｒ（第２番目）、Ｔ２×（Ａ−Ｐ−Ｐ）×Ｒ（第３番目）、・・・Ｔ２×（Ａ−Ｐ−・・・）×Ｒ（第Ｎ番目）のように、発光ダイオードに電流を流す時間を徐々に常に短くして、点灯するＯＮ時間を短くする。また、ステージ３のように、所定時間Ｔ３に対する点灯時間をＴ２×Ａ×Ｒ（第１番目）、Ｔ２×（Ａ＋Ｐ）×Ｒ（第２番目）、Ｔ２×（Ａ＋Ｐ＋Ｐ）×Ｒ（第３番目）、・・・Ｔ２×（Ａ＋Ｐ＋・・・）×Ｒ（第Ｎ番目）のように、発光ダイオードに電流を流す時間を徐々に長くして、点灯するＯＮ時間を長くする。そして、これらステージ１０２、１０３を繰り返す。その後、冷蔵室左の扉２５ｂを開放して第２扉開閉検知手段４１が動作し左右扉の同じ周期を行い、ステージ１０４の動作を行う。
【０２３５】
よって、利用者が冷蔵室左扉２５ｂを開放したときに、減光状態からよりスムーズに増光状態に移行するように発光ダイオード２が点灯するのを目にするので、指向性のある発光ダイオード２の光に対して室内の見づらさを低減することができ、冷蔵庫全体として消費電力量の低減を図ることができる。
【０２３６】
また、上記のように、繰返す回数を一定回数に固定して、増光制御を行ったが、Ｔ３に対する同じ点灯時間を繰返す回数を徐々に減らしていってもよい。
【０２３７】
これによって、減光状態から増光状態になる移行期間の発光ダイオード２の明るさをスムーズに制御できる。
【０２３８】
また、本発明の冷蔵庫は、第１扉開閉検知手段２４によって発光ダイオード２に流す電流を制御する制御装置を備え、第２扉開閉検知手段４１によって左扉２５ｂの開状態を検知した時、前記制御装置２６は発光ダイオード２に流す電流を所定時間ＯＮした後、電流のＯＮ／ＯＦＦ時間の比率のうちＯＮ時間を徐々に小さくすることと、周期Ｔを徐々に早めるように制御するものであり、また、第２扉開閉検知手段４１によって右扉２５ａの開状態を検知した時、左扉２５ｂのＯＮ／ＯＦＦ時間の比率と周期を合わせるものである。
【０２３９】
これによって、点灯時には照明装置２０がゆっくり増光して点灯し左右の周期を合わせるので、照明としての品位を向上させ、扉２５の開時の消費電力を抑制することが可能となる。発光ダイオードのＯＮ時間の長寿命化を図ることができる。
【０２４０】
また本発明の冷蔵庫は、第１扉開閉検知手段２４によって発光ダイオード２に流す電流を制御する制御装置を備え、第２扉開閉検知手段４１によって左扉２５ｂの開状態を検知した時、前記制御装置２６は発光ダイオード２に流す電流を所定時間ＯＦＦした後、電流の同じＯＮ／ＯＦＦ時間を繰り返し、その後ＯＮ時間を徐々に長くして繰り返して制御し、第１扉開閉検知手段２４によって右扉２５ａの開状態を検知した時、左扉２５ｂのＯＮ／ＯＦＦ時間と合わせるものである。
【０２４１】
これによって点灯時には照明装置２０の発光ダイオード２がなめらかな増光状態で点灯するため、高級感のある照明としての品位をさらに向上させることができる。
【０２４２】
また実施の形態１では、ステップ３のように所定時間Ｔ１経過後、発光ダイオード２を点灯し徐々に消灯し、その後消灯から徐々に点灯する制御を示したが、所定時間経過しなくても、すなわちＴ１＝０でステップ５に進み、以下の実施の形態と同様に制御してもよい。
【０２４３】
これによって、徐々に消灯し、その後消灯から徐々に明るく点灯していくことで、利用者の視覚への負担を軽減し、眩しさや光の反射による扉開放状態が必要以上に長くなるのを低減して、冷蔵庫全体の消費電力量の増大を阻止することができる。
【０２４４】
また実施の形態２でも同様にステップ１０３で所定時間Ｔ１経過後、発光ダイオード２を点灯していたが、所定時間経過しなくても、すなわちＴ１＝０でステップ１０５に進み、以下の実施の形態と同様に制御してもよい。
【０２４５】
これによって一気に照明装置を点灯しないで、よりスムーズに徐々に明るく点灯していくことで、利用者の視覚への負担を軽減し、眩しさや光の反射による扉開放状態が必要以上に長くなるのを低減して、冷蔵庫全体の消費電力量の増大を阻止することができる。
【０２４６】
（実施の形態７）
図１９は、本実施の形態における冷蔵庫の扉２５の開閉状態と照明装置２０の駆動制御に関するブロック図である。
【０２４７】
実施の形態１はＴに対する点灯時間を徐々に小さくしながら減光制御を行い、その後徐々に大きくしながら増光制御を行うことを繰り返すが、警告音発生手段３７よりブザー３８にて警告音を同期して発生させることを実施する。
【０２４８】
これによって、徐々に減光し、その後減光状態から徐々に明るく点灯していく制御に警告音を同期させることで、利用者の視覚への負担を軽減し、眩しさや光の反射による扉開放状態が必要以上に長くなるのを低減して、視覚と聴覚の周期を合わせることで利用者への警告意識を促し、警告音により扉開放のまま放置されることを防ぐことができ、冷蔵庫全体の消費電力量の増大を阻止することができる。
【０２４９】
（実施の形態８）
図２０は、本実施の形態における冷蔵庫の扉２５の開閉状態と照明装置２０の駆動制御に関するブロック図である。
【０２５０】
前記実施の形態は、Ｔに対する点灯時間を徐々に小さくしながら減光制御を行い、その後徐々に大きくしながら増光制御を行うことを繰り返すが、表示手段３９より温度表示を表示している表示基板４０において、表示基板の温度表示を点滅させることを実施する。
【０２５１】
これによって、徐々に消灯し、その後消灯から徐々に明るく点灯していく制御に表示基板の温度表示を点滅させ同期することで、利用者の視覚への負担を軽減し、眩しさや光の反射による扉開放状態が必要以上に長くなるのを低減して、更に扉開放のまま報知されることや食品の噛み込みを防ぐことができ、冷蔵庫全体の消費電力量の増大を阻止することができる。
【０２５２】
また、本発明は、前面が開口する複数の貯蔵室と、前記貯蔵室内を照らす照明装置と、前記複数の貯蔵室に対応した複数の扉開閉検知手段によって前記照明装置を点灯および減光制御する制御装置を備えた冷蔵庫において、前記照明装置は電流のＯＮ／ＯＦＦ時間の比率を変化させながら点灯および消灯を行い、前記ＯＮ／ＯＦＦ時間を計測する前記制御装置内の少なくとも一つのタイマーは複数の貯蔵室の前記ＯＮ／ＯＦＦ時間を計測することを特徴とする冷蔵庫である。これにより、タイマーの数を減らすことができるという作用を有する。
【０２５３】
また、一方の扉が開いたことを前記一方の扉に対応する扉開閉検知手段にて検知した後、他方の扉が所定時間以内に開いたことを前記他方の扉に対応する扉開閉検知手段にて検知した場合、後に開けた前記他方の扉に対応する他方の貯蔵室の照明装置は、先に開けた前記一方の扉に対応する一方の貯蔵室の照明装置の増光制御に同期する冷蔵庫であってもよい。これにより、複数の照明装置の増光制御を同期させることで、タイマーの数を減らすことができるという作用を有する。
【０２５４】
また、一方の扉が開いたことを前記一方の扉に対応する扉開閉検知手段にて検知した後、他方の扉が所定時間以上経過後に開いたことを前記他方の扉に対応する扉開閉検知手段にて検知した場合、先に開けた前記一方の扉に対応する一方の貯蔵室の照明装置の増光制御の終了を待って、他方の貯蔵室の照明装置の増光制御を行う冷蔵庫であってもよい。これにより、複数の照明装置の増光制御が時間的に重ならないように制御することでタイマーを使いまわし、必要とするタイマーの数を減らすことができるという作用を有する。
【０２５５】
また、扉開閉検知手段にて扉が開いたことを検知した後、ある一定時間待った後に照明装置の増光制御を開始する冷蔵庫であってもよい。これにより、扉を開けて照明装置が点くまでにタイムラグがあることをユーザーに認識させておくことで、後から開けた扉側の増光制御が待たされる場合でも、ユーザーに違和感を感じさせないという作用を有する。
【０２５６】
以下、本発明の実施の形態について図を用いて説明する。
【０２５７】
（実施の形態９）
図２３は、本発明の実施の形態１における冷蔵庫の電気系統の構成図である。図２３において、１１０および１２０は、それぞれ、第一の貯蔵室および第二の貯蔵室である。１１１および１２１は、それぞれ、第一の貯蔵室の扉および第二の貯蔵室の扉である。１１２および１２２は、それぞれ、第一の貯蔵室の扉開閉検知手段および第二の貯蔵室の扉開閉検知手段であり、それぞれの貯蔵室の扉の開閉状態に応じた電子信号を出力する。
【０２５８】
１１３および１２３は、それぞれ、第一の貯蔵室を照明する発光素子を備えた第１照明装置としてのＬＥＤ照明、および第二の貯蔵室を照明する発光素子を備えた第２照明装置としてのＬＥＤ照明である。ＬＥＤ照明１１３、１２３は、主制御マイコン１３０に入力する電子信号により、点灯または消灯の制御が行われる。１３０は、冷蔵庫の電気系統制御を司る主制御マイコンであり、温度情報や時間情報をもとにコンプレッサ、ファン、ヒータ、冷却切替装置へ動作信号を出力するほか、前記扉開閉検知手段１１２および１２２からの電子信号を受け、前記ＬＥＤ照明１１３および１２３の点灯または消灯の制御も行う制御装置として機能する。
【０２５９】
ＬＥＤ照明１１３および１２３は、それぞれ複数のＬＥＤを１つの基板に実装したものであり、複数の基板を並べて配置していてもよい。
【０２６０】
１３１は、前記ＬＥＤ照明１１３および１２３を徐々に増光または減光させる際の電子信号のＯＮ時間またはＯＦＦ時間を計測するタイマーであり、主制御マイコン１３０の内部に搭載する。１８０は温度センサであり、センサの周囲温度に応じた電子信号を出力する。前記温度センサ１８０は、外気温測定のため、或いは冷蔵庫内の任意の場所の温度測定のためなどに、複数個設けても良い。
【０２６１】
１４０は、主制御マイコン１３０からの電子信号を受け、コンプレッサの動作を制御するコンプレッサ制御マイコンである。１４１は、コンプレッサ制御マイコン１４０からの信号を受け、冷媒を圧縮するコンプレッサである。
【０２６２】
１５０は、制御マイコン１３０からの電子信号により、ＯＮ／ＯＦＦ切り替えや回転数の変更を行うファンである。前記ファン１５０は、冷蔵庫内の冷気を流動させたり、コンプレッサに風を当てて放熱を促進させるためのものであり、複数個設けても良い。１６０は、主制御マイコン１３０からの電子信号を受け、冷蔵庫各部の凍結や結露防止のために設けられるヒータであり、複数個設けても良い。
【０２６３】
１７０は、主制御マイコン１３０からの電子信号を受け、冷蔵庫内の冷媒の流路を切り替える冷却切替装置である。
【０２６４】
次に、図２３および図２４を用いて、ＬＥＤ照明を徐々に増光させる際の動作を説明する。いま、第一の貯蔵室１１０の扉１１１が開くと、扉開閉検知手段１１２により、扉が開いたことを検知し、主制御マイコン１３０に通知する。
【０２６５】
このとき、主制御マイコン１３０では、ＬＥＤ照明１１３を徐々に点灯する制御を開始する。図２４に主制御マイコン１３０がＬＥＤ照明１１３に出力する電子信号の一例を示す。主制御マイコン１３０が扉開閉検知手段１１２から扉１１１が開いたことを通知されると、まずＯＮ１時間だけＬＥＤ照明１１３をＯＮする信号を出力する。続けて、ＯＦＦ１時間だけＬＥＤ照明１１３をＯＦＦする信号を出力する。
【０２６６】
さらに続けて、ＯＮ２時間だけＬＥＤ照明１１３をＯＮする信号を出力する。ここで、ＯＮ２時間≧ＯＮ１時間とする。さらに続けて、ＯＦＦ２時間だけＬＥＤ照明１１３をＯＦＦする信号を出力する。ここで、ＯＦＦ２時間≦ＯＦＦ１時間とする。さらに続けて、ＯＮ３時間だけＬＥＤ照明１１３をＯＮする信号を出力する。ここで、ＯＮ３時間≧ＯＮ２時間とする。
【０２６７】
さらに続けて、ＯＦＦ３時間だけＬＥＤ照明１１３をＯＦＦする信号を出力する。ここで、ＯＦＦ３時間≦ＯＦＦ２時間とする。このようにして、ＯＮ時間を少しずつ増やすとともに、ＯＦＦ時間を少しずつ減らしていき、最終的に常時ＯＮとすることで、ＬＥＤ照明１１３を徐々に増光させる。第二の貯蔵室のＬＥＤ照明についても、同様である。
【０２６８】
次に、一つのタイマーを共用して二つの貯蔵室のＬＥＤ照明を徐々に増光させる方法について、図２５を用いて説明する。まず、どちらか片方の貯蔵室の扉２５をパターンＡの時間Ｔｓのタイミングにて開けた場合、時間Ｔｅを迎えるまで、その貯蔵室のＬＥＤ照明は、図２４のＯＮ／ＯＦＦパターンで制御されながら徐々に光量を増し、時間Ｔｅ以降、電子信号は常時ＯＮとし、ＬＥＤ照明は最高輝度で点灯状態となる。
【０２６９】
この制御中、タイマー１３１は、図２４の各ＯＮ時間および各ＯＦＦ時間を計測するため、時間Ｔｓから時間Ｔｅまでの間、絶え間なく動作し続ける。この、時間Ｔｓから時間Ｔｅまでのどこかの時点でもう一方の扉２５を開けた場合、タイマー１３１は、先に開けた扉２５側のＬＥＤ照明を徐々に増光させる制御（増光制御）のために図２４のどこかのＯＮ時間またはＯＦＦ時間を計測中となるため、後に開けた扉側のＬＥＤ照明のためにＯＮ１時間から計測を始めることはできない。
【０２７０】
そこで、時間Ｔｓから時間Ｔｅの間に時間Ｔ１を定め、後に扉を開けた時点がＴ１より早ければ、後に開けた扉側のＬＥＤ照明は、先に開けた扉側のＬＥＤ照明と同期して徐々に点灯させることとし、一方、後に扉を開けた時点がＴ１より遅ければ、先に開けた扉側のＬＥＤ照明が常時ＯＮとなるまで後に開けた扉側のＬＥＤ照明の増光制御を待たせ、先に開けた扉側のＬＥＤ照明の増光制御からタイマー１３１が開放さるとすぐに、後に開けた扉側のＬＥＤ照明の増光制御を、タイマー１３１を使用して実行することとする。
【０２７１】
さらに例を挙げて説明すると、まず、時間Ｔ１時点よりも早い時間Ｔｂ時点で後の扉を開けた場合、後に開けた扉側のＬＥＤ照明は図２５のパターンＢの実線で示すように、パターンＡで示す先に開けた扉側のＬＥＤ照明の増光制御にＴｂ時点で同期させる。そうすると、パターンＢに示すように、時間Ｔｂ時点で、後で開けた側のＬＥＤ照明の輝度は急峻に立ち上がるが、冷蔵庫のつくり上、時間Ｔｂ時点では、後で開けた扉自体がブラインドとなり、ユーザーから照明が見えないこと、および、輝度の急峻な立ち上がり量が大きくなり過ぎないように時間Ｔ１を調整することで、ユーザーに突然明るく点灯する違和感を与えるのを防ぐことができる。
【０２７２】
一方、図２５のパターンＣのように、時間Ｔ１時点から時間Ｔｅ時点までの間の、時間Ｔｃ時点で後の扉を開けた場合、即座に先に開けた扉側のＬＥＤ照明の輝度に、後から開けた側のＬＥＤ照明の輝度を同期させると、ユーザーに突然明るく点灯する違和感を与えてしまうため、先に開けた扉側のＬＥＤ照明の増光制御が終わる時間（＝タイマー１３１が先に開けた扉側のＬＥＤ照明の増光制御から開放される時間）Ｔｅまで、後で開けた扉側のＬＥＤ照明増光制御を待ち、その後、開放されたタイマー１３１を用いて後で開けた扉側のＬＥＤ照明増光制御を開始する。
【０２７３】
このとき、時間（Ｔｅ―Ｔｃ）だけ、後で開けた扉側のＬＥＤ照明の増光制御開始が遅れるため、ユーザーに点灯が遅れる違和感を与える可能性がある。これを避けるため、通常のＬＥＤ増光制御において、扉を開けた後に待ち時間を設けて増光制御を開始することにしておけば、通常時と変わらない動作となるため、点灯が遅れる違和感を払拭することができる。
【０２７４】
そのためには、たとえば、図２６に示すような処理を実装していれば良い。図２６は、扉を開けた後に一定時間をおいて徐々にＬＥＤ照明を点灯させる例を示したグラフである。もう少し詳しく説明すると、時間Ｔｄ時点でドアを開けた後、（Ｔｓ−Ｔｄ）時間経過後、時間Ｔｓ時点においてＬＥＤ照明の増光制御を開始し、時間Ｔｅにおいて完全に点灯させる。これにより、通常時および図２５のパターンＣの条件下においても、扉を開けて一定の間隔でＬＥＤ照明を点灯させることができ、ユーザーに点灯が遅れる違和感を与えることは無い。
【産業上の利用可能性】
【０２７５】
以上のように、本発明にかかる冷蔵庫は、家庭用又は業務用冷蔵庫に適用可能であり、特に、発光ダイオードや有機ＥＬなどを光源とする照明を備える冷蔵庫に応用できる。さらに、扉のある物品貯蔵装置など庫内照明を備える幅広い設備機器に応用できるものである。
【符号の説明】
【０２７６】
１  実装基板
２  発光ダイオード
２０  照明装置
２４  扉開閉検知手段
２５  扉
２６  制御装置
３６  タイマカウンタ
１０、２０、１１０、１２０  貯蔵室
１１、２１、１１１、１２１  扉
１２、２２、１１２、１２２  扉開閉検知手段
１３、２３１１３、１２３  ＬＥＤ照明
３０、１３０  主制御マイコン
３１、３２、１３１  タイマー
４０、１４０  コンプレッサ制御マイコン
４１、１４１  コンプレッサ
５０、１５０  ファン
６０、１６０  ヒータ
７０、１７０  冷却切替装置
８０、１８０  温度センサ
【図１】
0005853163.tif 000002
【図２】
0005853163.tif 000003
【図３】
0005853163.tif 000004
【図４】
0005853163.tif 000005
【図５】
0005853163.tif 000006
【図６】
0005853163.tif 000007
【図７】
0005853163.tif 000008
【図８】
0005853163.tif 000009
【図９】
0005853163.tif 000010
【図１０】
0005853163.tif 000011
【図１１】
0005853163.tif 000012
【図１２】
0005853163.tif 000013
【図１３】
0005853163.tif 000014
【図１４】
0005853163.tif 000015
【図１５】
0005853163.tif 000016
【図１６】
0005853163.tif 000017
【図１７】
0005853163.tif 000018
【図１８】
0005853163.tif 000019
【図１９】
0005853163.tif 000020
【図２０】
0005853163.tif 000021
【図２１】
0005853163.tif 000022
【図２２】
0005853163.tif 000023
【図２３】
0005853163.tif 000024
【図２４】
0005853163.tif 000025
【図２５】
0005853163.tif 000026
【図２６】
0005853163.tif 000027
【図２７】
0005853163.tif 000028